(57)【要約】【課題】  異種の液体を収納した二つの注射器状の筒状容器の吐出部に噴霧ノズルを取付け、噴霧にあたって、所定の圧力に達したときに噴霧できるよう蓄圧式とし、二種の液体を一定割合で同時に噴霧するとともに、液垂れを防止するようにした噴霧器であって、しかも、装置全体を小型化した蓄圧式二液噴霧器を提供すること。【解決手段】  二つの円筒体を連設した容器本体と、各円筒体に嵌挿されるピストン体と該ピストン体と作動杆とによって連設された押し板とからなるピストン部材と、二つの円筒体の前部に挿入され、吐出口を具えた弁体と受圧ピストン体とからなる弁部材と、円筒体の頂壁と受圧ピストン体との間に弾装されたばね部材と、容器本体の頂壁に設けられた取付部に装着されたノズル部材とを具備していることを特徴とする。【選択図】  図１
2006151445.tif 000002
【特許請求の範囲】
【請求項１】
二つの円筒体を連設した容器本体と、
各円筒体に嵌挿されるピストン体と該ピストン体と作動杆とによって連設された押し板とからなるピストン部材と、
二つの円筒体の前部に挿入され、吐出口を具えた弁体と受圧ピストン体とからなる弁部材と、
円筒体の頂壁と受圧ピストン体との間に弾装されたばね部材と、
容器本体の頂壁に設けられた取付部に装着されたノズル部材とを具備していることを特徴とする蓄圧式二液噴霧器。
【請求項２】
ノズル部材が、二つの噴霧ノズルと取付部に取着されたケーシングとからなり、
取付部の隔壁とケーシングの仕切板によって、二つの円筒体の吐出口に通じる二つの液室が設けられ、
それぞれの液室から流路を通じて、それぞれの噴霧ノズルの噴出孔に連通させていることを特徴とする請求項１記載の蓄圧式二液噴霧器。
【請求項３】
ノズル部材が、一つの噴霧ノズルと取付部に取着されたケーシングからなり、
ケーシングと取付部とによって、二つの円筒体の吐出口に通じる混合室が設けられ、
一つの流路を通じて噴霧ノズルの噴出孔から混合噴霧するようにしたことを特徴とする請求項１記載の蓄圧式二液噴霧器。
【請求項４】
二つの円筒体の直径を変え、内容液を一定割合で噴霧させることを特徴とする請求項１〜３記載の蓄圧式二液噴霧器。
【発明の詳細な説明】
【技術分野】
【０００１】
本発明は、二液噴霧器、特に二液を一定割合で同時に、かつ、所定の圧力に達したときに噴霧させるとともに、液垂れを防止するようにした蓄圧式二液噴霧器に関するものである。
【背景技術】
【０００２】
異なる二種類の液体を、別個に収納する二つの円筒体と、各円筒体に嵌挿されるピストンとを具備した注射器状の二液同時噴霧器は、従来から知られている（例えば特許文献１参照）。
しかし、特許文献１記載の従来の噴霧器は、蓄圧機能を具備していないばかりでなく、容器を注射器状の二つの別体の部材とし、それぞれを隔離された別のハウジングに装着し、さらに、ピストンを別のプランジャ規制手段で押すようにしており、形状が複雑で部品数が多いという問題があった。
【０００３】
また、異なる二種類の液体を、別個に収納する二つの円筒体と、各円筒体に嵌挿されるピストンとを具備した注射器状の注出容器であって、二つの円筒体を一体のものとして構成し、同時に異なる液体を混合して注出するものも、従来から知られている（例えば特許文献２参照）。
しかし、特許文献２記載の従来例は、容器が小型で、構造が簡単になっているが、二液を混合して注出するだけのものであり、これを噴霧することができないものであった。
【０００４】
さらにまた、蓄圧機能を具備した噴霧器として、種々の型式のものが周知であるが、その一つとして、噴霧終了時に、液垂れを防止するため、液の吸戻し室を設けた蓄圧式噴霧器も、従来から知られている（例えば特許文献３参照）。
しかし、特許文献３記載の蓄圧式噴霧器は、周知の蓄圧式噴霧器と同様に、一つの噴霧器を装着したポンプに二つのポンプ室を設け、さらに、ノズルヘッド内に吸戻し室を設けているので、構造が複雑になり、部品数も多く、コストが高くなるという問題があった。
【特許文献１】特表２００１−５０２１９９号公報
【特許文献２】特開２００３−３４１７４９号公報
【特許文献３】特開平１０−３４０３６号公報
【発明の開示】
【発明が解決しようとする課題】
【０００５】
本発明は、上記の問題を解決することを課題として、異種の液体を収納した二つの注射器状の筒状容器の吐出部に噴霧ノズルを取付け、噴霧にあたって、所定の圧力に達したときに噴霧できるよう蓄圧式とし、二種の液体を一定割合で同時に噴霧するとともに、液垂れを防止するようにした噴霧器であって、しかも、装置全体を小型化した蓄圧式二液噴霧器を提供することを目的とする。
【課題を解決するための手段】
【０００６】
本発明は、上記の課題を解決するために、蓄圧式二液噴霧器として、二つの円筒体を連設した容器本体と、各円筒体に嵌挿されるピストン体と該ピストン体と作動杆とによって連設された押し板とからなるピストン部材と、二つの円筒体の前部に挿入され、吐出口を具えた弁体と受圧ピストン体とからなる弁部材と、円筒体の頂壁と受圧ピストン体との間に弾装されたばね部材と、容器本体の頂壁に設けられた取付部に装着されたノズル部材とを具備していることを特徴とする構成を採用する。
【０００７】
ノズル部材の実施例として、ノズル部材が、二つの噴霧ノズルと取付部に取着されたケーシングとからなり、取付部の隔壁とケーシングの仕切板によって、二つの円筒体の吐出口に通じる二つの液室が設けられ、それぞれの液室から流路を通じて、それぞれの噴霧ノズルの噴出孔に連通させていることを特徴とする構成を採用する。
【０００８】
ノズル部材の別実施例として、ノズル部材が、一つの噴霧ノズルと取付部に取着されたケーシングからなり、ケーシングと取付部とによって、二つの円筒体の吐出口に通じる混合室が設けられ、一つの流路を通じて噴霧ノズルの噴出孔から混合噴霧するようにしたことを特徴とする構成を採用する。
【０００９】
容器本体の実施例として、二つの円筒体の直径を変え、内容液を一定割合で噴霧させることを特徴とする構成を採用する。
【発明の効果】
【００１０】
本発明は、容器本体の二つの円筒体にピストン部材を嵌挿し、円筒体の吐出部側にばねで付勢された弁部材を嵌挿しているので、噴霧時には、ピストン部材の押圧により所定の圧力に達したときに、二つの噴霧ノズルから異種の液体を同時に噴霧できる。
噴霧停止時には、ばねの復元によって弁部材を後退させ、瞬時に、吐出口を閉鎖するとともに、さらに、液室を負圧にすることによって、吸戻し室としての機能をもたせることにより、液垂防止効果をさらに向上できるようになった。
【００１１】
二つの円筒体の直径を変えることによって、内容液を一定割合で配合して噴霧することができるようになった。
一つのノズルから二液を混合して噴霧する場合には、ノズル内に混合室を設けることにより、均一に混合させて噴霧できるようになった。
【発明を実施するための最良の形態】
【００１２】
次に、本発明の蓄圧式二液噴霧器について、実施例を挙げ、図面を参照して説明する。
【実施例１】
【００１３】
図１、２において、Ａは二つの円筒容器を連接した容器本体、Ｂはピストン部材、Ｃは弁部材、Ｄはノズル部材である。
【００１４】
容器本体Ａは、大径の円筒体Ａ１と、小径の円筒体Ａ２との直径の異なる二つの円筒容器で構成されており、円筒体Ａ１、Ａ２は、それぞれシリンダーを形成する筒壁１ａ、１ｂと、頂壁２ａ、２ｂとを具備しており、二つの筒壁１ａ、１ｂは、その一部を共通部として接続部３で連接されている。
なお、円筒体Ａ１、および円筒体Ａ２は、同径であっても差し支えはない。
【００１５】
それぞれの円筒体Ａ１、Ａ２の内部には、ピストン部材Ｂ１、Ｂ２が摺動可能に挿入されている。
図３に示すように、頂壁２ａ、２ｂの上面には、ノズル部材Ｄを取着するために、頂壁２ａ、２ｂをまたがって取付部４が立設されている。
取付部４は、下段に係合溝を設けた外周壁５と、内部を区切る隔壁６ａ、６ｂとを具えており、取着されたノズル部材Ｄとともに、液室を形成するようなっている。
【００１６】
円筒体Ａ１、Ａ２の頂壁２ａ、２ｂには、後述する弁部材Ｃの弁体を摺動可能に嵌挿する弁孔７ａ、７ｂが穿孔されるとともに、空気を流通させるための流通孔８ａ、８ｂが穿孔されている。
【００１７】
容器本体Ａの中間部には、筒壁１ａ、１ｂを接続して指掛けのための把持部９が設けられており、筒壁１ａ、１ｂ下端には、接続部３を除く外周に膨出環が設けられている。
【００１８】
図１、２に示すように、ピストン部材Ｂは、円筒体Ａ１、Ａ２に対応する二つのピストン部材Ｂ１、Ｂ２からなり、それぞれの部材は、筒壁１ａ、１ｂ内を摺動するピストン体１０ａ、１０ｂと、作動杆１１ａ、１１ｂとを具えている。          
【００１９】
それぞれのピストン体１０ａ、１０ｂは、後述する弁部材Ｃの受圧ピストン体に対応する形状の凸状頂壁部１２ａ、１２ｂと、スカート状の摺動面部１３ａ、１３ｂと、底壁部１４ａ、１４ｂとを具備しており、底壁部１４ａ、１４ｂには、作動杆１１ａ、１１ｂを支持するための支持部１５ａ、１５ｂが設けられている。
【００２０】
作動杆１１ａ、１１ｂは、接続部３に直交する第１の連杆１６ａ、１６ｂと、該連杆１６ａ、１６ｂと直交する第２の連杆１７ａ、１７ｂとによって、断面十字形に形成されている。
【００２１】
作動杆１１ａ、１１ｂの後端部には、ピストンを押圧するための押し板１８ａ、１８ｂが連設されている。
それぞれの押し板１８ａ、１８ｂの中央端部には、相互に重なり合う部分１９ａ、１９ｂが設けられており、押し板１８ａ、１８ｂは、一体となって動くようにされている。
また、押し板１８ａ、１８ｂと、第１の連杆１６ａ、１６ｂ、第２の連杆１７ａ、１７ｂとを一体形成してもよい。
【００２２】
図１、３に示すように、弁部材Ｃ１、Ｃ２は、弁体２０ａ、２０ｂと受圧ピストン体２１ａ、２１ｂとから構成され、円筒体Ａ１、Ａ２の内部に摺動可能に嵌挿されている。
受圧ピストン体２１ａ、２１ｂは、後端部に形成されピストン体１０ａ、１０ｂの凸状頂壁部１２ａ、１２ｂに対応する形状の凹状受圧面２２ａ、２２ｂと、外周面に形成されたスカート状の摺動面部２３ａ、２３ｂと、凹状受圧面２２ａ、２２ｂの反対面に形成されたばね受面２４ａ、２４ｂとを具備している。
【００２３】
弁体２０ａ、２０ｂは、円筒体Ａ１、Ａ２の弁孔７ａ、７ｂに摺動可能に嵌挿され、該弁孔７ａ、７ｂと摺接する弁外周面２５ａ、２５ｂと、該弁外周面に穿孔された吐出口２６ａ、２６ｂと、該吐出口２６ａ、２６ｂと円筒体Ａ１、Ａ２内とを連通する連通孔２７ａ、２７ｂとを具備している。
弁体２０ａ、２０ｂの頭部には、弁孔７ａ、７ｂの上端部と係合する突条、または突起が設けられている。
【００２４】
容器本体Ａの頂壁２ａ、２ｂと弁部材Ｃのばね受面２４ａ、２４ｂとの間には、樹脂製の圧縮ばね２８ａ、２８ｂが弾装されている。
その材料は、ピストン部材Ｂの押圧力により円筒体Ａ１、Ａ２が所定の圧力に達したときに、弁部材Ｃが移動して吐出口２６ａ、２６ｂが開かれて、内容液が吐出し、押圧力が解かれたときに、直ちに弁部材Ｃを元の位置に復帰させるのに必要な弾撥力を具えた合成樹脂から選択し、その形状は、圧縮された時点において場所を取らないようにし、断面ほぼＵ形の板ばねを横向きにしたものを用いる。
【００２５】
ノズル部材Ｄは、ケーシング３０と、二つの噴霧ノズル３１ａ、３１ｂとからなっている。
ケーシング３０は、外周壁３２と頂壁３３とを具えている。
外周壁３２は、その下端に内方に突出する膨出部が設けられ、容器本体Ａの頂壁２ａ、２ｂに立設された取付部４の外周壁５の係合溝によって、液密に嵌着されている。
【００２６】
頂壁３３の下面から、取付部４の隔壁６ａ、６ｂに係合する仕切板３４ａ、３４ｂが垂下され、取付部４とケーシング３０との間に液室３５ａ、３５ｂを形成するようにしている。
【００２７】
頂壁３３の上面には、噴霧ノズル３１ａ、３１ｂが立設され、それぞれの噴霧ノズル３１ａ、３１ｂは、中央に噴出孔３６ａ、３６ｂを穿孔したノズルチップ３７ａ、３７ｂが装着されている。
ノズルチップ３７ａ、３７ｂには、スピン溝が設けられており、該スピン溝と液室３５ａ、３５ｂを連通する流路３８ａ、３８ｂが穿設されている。
【００２８】
次に、本発明の蓄圧式二液噴霧器の使用態樣及び作用効果について説明する。
本発明の蓄圧式二液噴霧器は、薬品、化粧品、その他の内容液の噴霧器として使用される。
【００２９】
まず、蓄圧式二液噴霧器の組み立てについて述べると、使用前の状態においては、図３に示すように、弁部材Ｃ１、Ｃ２は、圧縮ばね２８ａ、２８ｂの弾撥力により後退させられているので、吐出口２６ａ、２６ｂは閉鎖状態となっている。
この状態において、円筒体Ａ１、Ａ２内のそれぞれに異なる液体を収納した後、ピストン部材Ｂ１、Ｂ２のピストン体１０ａ、１０ｂを挿入することによって、内容液の充填を完了する。
【００３０】
噴霧にあたっては、ノズル部材Ｄを所望する噴霧方向に向け、把持部９と押し板１８ａ、１８ｂを手指で把持して押し板１８ａ、１８ｂを押圧すると、ピストン体１０ａ、１０ｂの押圧により円筒体Ａ１、Ａ２内の圧力は、上昇する。
内圧が所定の圧力となると、弁部材Ｃ１、Ｃ２の受圧ピストン２１ａ、２１ｂが圧縮ばね２８ａ、２８ｂをその弾撥力に抗して圧縮して、弁部材Ｃ１、Ｃ２が前進する。
その際、円筒体Ａ１、Ａ２内の空気は、流通孔８ａ、８ｂを通過して抜けるので、受圧ピストン体２１ａ、２１ｂの前進を妨げることはない。
【００３１】
この前進に伴い、弁体２０ａ、２０ｂが容器本体Ａの弁孔７ａ、７ｂを摺動して前進し、一定の位置に達した時には、図４に示すように、吐出口２６ａ、２６ｂが開口される。
吐出口２６ａ、２６ｂから吐出される液体は、それぞれ液室３５ａ、３５ｂに流入する。
液室３５ａ、３５ｂに流入した液体は、流路３８ａ、３８ｂを経て噴出孔３６ａ、３６ｂよりそれぞれ噴霧される。
【００３２】
噴霧を停止するには、押し板１８ａ、１８ｂに加えていた押圧力を解除すると、弁部材Ｃ１、Ｃ２は、圧縮ばね２８ａ、２８ｂが復元して、元の位置に後退させられる。
弁部材Ｃ１、Ｃ２の後退に伴い、吐出口２６ａ、２６ｂは、自動的に、瞬時に閉鎖して噴霧を停止させるとともに、弁体２０ａ、２０ｂの後退により、液室３５ａ、３５ｂ内は減圧状態となるので、噴出されようとしていた液体を液室３５ａ、３５ｂ内に引き戻す吸引力が発生することとなる。
すなわち、液室３５ａ、３５ｂが、吸戻室としての機能も果たすこととなり、本発明は、液垂れを防止する効果をさらに大きなものとしている。
【００３３】
吸戻室を設けることが液垂れ防止に効果があることは、上記特開平１０−３４０３６号公報にも記載されている。
しかし、該先行技術は、複雑な形状をした吸戻室をわざわざ別の部品として具えなければならないものであり、装置全体が大きなものとならざるを得ない。
これに対して本発明は、液室３５ａ、３５ｂが吸戻室としての機能を兼用しているので、噴霧器の全体の構造が簡単となり、小型のものとすることができるのである。
【実施例２】
【００３４】
次に、ノズル部材の第２実施例について説明する。
本実施例は、ノズル部材Ｄの構成を変更し、一つの噴霧ノズルから二液を混合して噴霧するようにしたものである。
容器本体Ａの内部構造、ピストン部材Ｂの構成は同一であり、以下相違点であるノズル部材とその取付部の構成を中心に説明する。
【００３５】
図５、６において、Ａは容器本体、Ｂはピストン部材、Ｄａはノズル部材であり、容器本体Ａの頂壁２ａ、２ｂには、ノズル部材Ｄａの取付部４０が立設されている。
取付部４０は、外周下端に係合溝を設けたトラック楕円形状の外周壁４１と、該外周壁４１より低く位置する上壁４２と、注出口部４３と支持部４４とを具えている。
【００３６】
ノズル部材Ｄａは、ケーシング４５と、該ケーシング４５の上面に立設された一つの噴霧ノズル４６とからなっている。
ケーシング４５は、取付部の外周壁４１の外周に嵌着され、下端に膨出部を設けた外周壁４７と頂壁４８を具えており、頂壁４８と取付部４０によって、混合室４９が形成されている。
【００３７】
噴霧ノズル４６は、中心部に円柱部５０を設け、混合室４９に連通する弧状の流路５１を設けたノズル本体５２を具えている。
ノズル本体５２の先端部分は、円形の環状孔５３となっており、中央に噴出孔５４を穿孔したノズルチップ５５が嵌着されている。
【００３８】
噴霧にあたっては、第１実施例と同様に、所定の内圧に達したときに、弁部材Ｃ１、Ｃ２が前進し、吐出口２６ａ、２６ｂから吐出された液体は、混合室４９に流入して混合され、さらに、円弧状の流路５１で混合されて、噴出孔５４から噴霧される。
【００３９】
噴霧の停止時には、第１実施例と同様に、弁体２０ａ、２０ｂが後退することによって、混合室４９内が減圧され、噴出孔５４からの液垂れを防止する作用効果を得ることができる。
【００４０】
上記実施例では、容器本体として、二つの円筒体を連設しているが、一つの円筒体だけであっても液垂れを防止できるので、一つの円筒体とピストンを用いた小型噴霧器であってもよい。
【００４１】
また、ばね部材として、特定の形状を有する樹脂ばねを用いており、廃棄にあたって、分別の必要がないという効果が得られるが、ばねは、金属製のコイルばね、或いは所要の弾撥力を有する弾性体であってもよく、実施例に限定されない。
【産業上の利用可能性】
【００４２】
本発明の蓄圧式二液噴霧器は、二つの円筒体を連設した容器本体内に収納した異種の内容物を一定割合で、所定の圧力を維持した状態で噴霧でき、薬品、化粧品、その他の内容液の二液同時噴霧器、或いは混合噴霧器として、広く利用できる。
【図面の簡単な説明】
【００４３】
【図１】本発明第１実施例の噴霧器の断面立面図である。
【図２】噴霧器の斜視図である。
【図３】弁部材とノズル部材の拡大説明図で、（ａ）は要部の断面立面図、（ｂ）はノズル部材取付部の上面図、（ｃ）はノズル部材の取付け時の上面図である。
【図４】噴霧時の弁部材とノズル部材の断面立面図である。
【図５】第２実施例噴霧器の説明図で（ａ）は断面立面図、（ｂ）は上面図である。
【図６】弁部材とノズル部材の拡大説明図で、（ａ）は要部の断面立面図、（ｂ）はノズル部材取付部の上面図である。
【符号の説明】
【００４４】
Ａ            容器本体   
Ａ１、Ａ２    円筒体
Ｂ、Ｂ１、Ｂ２  ピストン部材    
Ｃ、Ｃ１、Ｃ２  弁部材
Ｄ、Ｄａ      ノズル部材
１ａ，ｂ      筒壁
２ａ，ｂ      頂壁
３            接続部
４            取付部
５            外周壁
６ａ，ｂ      隔壁
７ａ，ｂ      弁孔
８ａ，ｂ      流通孔
９            把持部
１０ａ，ｂ    ピストン体
１１ａ，ｂ    作動杆
１２ａ，ｂ    凸状頂壁部
１３ａ，ｂ    摺動面部  
１４ａ，ｂ    底壁部
１５ａ，ｂ、４４  支持部
１６ａ，ｂ    第１の連杆
１７ａ，ｂ    第２の連杆
１８ａ，ｂ    押し板
１９ａ，ｂ    重なり合う部分
２０ａ，ｂ    弁体
２１ａ，ｂ    受圧ピストン体
２２ａ，ｂ    凹状受圧面
２３ａ，ｂ    摺動面部
２４ａ，ｂ    ばね受面
２５ａ，ｂ    弁外周面
２６ａ，ｂ    吐出口
２７ａ，ｂ    連通孔
２８ａ，ｂ    圧縮ばね
３０、４５    ケーシング
３１ａ，ｂ、４６  噴霧ノズル
３２、４１    外周壁
３３、４８    頂壁
３４ａ，ｂ    仕切板
３５ａ，ｂ    液室
３６ａ，ｂ、５４  噴出孔
３７ａ，ｂ、５５  ノズルチップ
３８ａ，ｂ、５１  流路
４０          取付部
４２          上壁
４３          注出口部
４７          外周壁
４９          混合室
５０          円柱部
５２          ノズル本体
５３          環状孔
【図１】
2006151445.tif 000003
【図２】
2006151445.tif 000004
【図３】
2006151445.tif 000005
【図４】
2006151445.tif 000006
【図５】
2006151445.tif 000007
【図６】
2006151445.tif 000008